【手続補正書】
【提出日】平成16年10月14日(2004.10.14)
【手続補正１】
【補正対象書類名】明細書
【補正対象項目名】特許請求の範囲
【補正方法】変更
【補正の内容】
【特許請求の範囲】
【請求項１】
ズームレンズを備えた撮像装置において、
前記ズームレンズは、負パワーのレンズ群及び正パワーのレンズ群を含んだ複数のレンズ群を有し、各々のレンズ群間隔を変更することで変倍を行うズームレンズであって、
前記ズームレンズは明るさ絞りを有し、
少なくとも１つの負パワーのレンズ群は前記明るさ絞り側に非球面の凹面を向けた負レンズを有し、前記非球面は、光軸上の屈折力に対して外側程屈折力が弱くなる形状であり、以下の条件を満足することを特徴とする撮像装置。
０．３０＜ａ／Ｒｈ＜２．５０                          ・・・（１）
０．３０＜Ｒｃ／Ｒ＜０．９５                          ・・・（２）
ただし、ａは非球面の面頂点（非球面と光軸との交点）から非球面における広角端時の最大画角の主光線の通過位置までの光軸方向での距離の絶対値、Ｒｈは非球面における広角端時の最大画角の軸外主光線の通過位置と光軸との距離の絶対値、Ｒｃは面頂点における曲率半径（非球面の光軸上の曲率半径）の絶対値、Ｒは光軸を対称軸とし面頂点と非球面の広角端時の最軸外主光線の通過位置とを含む球面の曲率半径の絶対値であり、Ｒ＝｜（ａ2 ＋Ｒｈ2 ）／（２ａ）｜で表される。
【請求項２】
ズームレンズを備えた撮像装置において、
前記ズームレンズは、負パワーのレンズ群及び正パワーのレンズ群を含んだ複数のレンズ群を有し、各々のレンズ群間隔を変更することで変倍を行うズームレンズであって、
負パワーのレンズ群の中最も物体側に配される負レンズ群は面のパワーが負である非球面を有し、前記非球面の形状が以下の条件を満足することを特徴とする撮像装置。
０．７０＜Ｒｃ／Ｒｈ＜１．３                          ・・・（３）
ただし、Ｒｈは非球面における広角端時の最大画角の軸外主光線の通過位置と光軸との距離の絶対値、Ｒｃは面頂点における曲率半径（非球面の光軸上の曲率半径）の絶対値である。
【請求項３】
ズームレンズを備えた撮像装置において、
前記ズームレンズは、負パワーのレンズ群及び正パワーのレンズ群を含んだ複数のレンズ群を有し、各々のレンズ群間隔を変更することで変倍を行うズームレンズであって、
負パワーのレンズ群の中最も物体側に配される負レンズ群は面のパワーが負である非球面を有し、前記非球面の形状が以下の条件を満足することを特徴とする撮像装置。
１．３＜Ｒｅ／Ｒｃ＜１．６                            ・・・（４）
ただし、Ｒｃは面頂点における曲率半径（非球面の光軸上の曲率半径）の絶対値、Ｒｅは非球面における広角端時の最大画角の軸外主光線の通過位置からその通過位置における面の法線と光軸との距離が最も小さくなる法線上の点までの距離の絶対値である。
【請求項４】
前記絞りと前記非球面との相対的距離は、広角端に対し望遠端で短くなることを特徴とする請求項１記載の撮像装置。
【請求項５】
前記ズームレンズが、物体側から順に、負パワーの第１レンズ群と、全体として正の屈折力を有する後続レンズ群とからなり、前記非球面が前記第１レンズ群中に配されることを特徴とする請求項１から４の何れか１項記載の撮像装置。
【請求項６】
前記後続レンズ群が、物体側より順に、正パワーの第２レンズ群、正パワーの第３レンズ群からなり、広角端から望遠端への変倍時に、第１レンズ群と第２レンズ群との間隔が狭まり、前記絞りが前記第１レンズ群と第３レンズ群との間に配されることを特徴とする請求項５記載の撮像装置。
【請求項７】
前記後続レンズ群が、物体側より順に、正パワーの第２レンズ群、正パワーの第３レンズ群、正又は負のパワーを有する第４レンズ群を有し、前記絞りが前記第１レンズ群と第３レンズ群との間に配されることを特徴とする請求項５記載の撮像装置。
【請求項８】
前記ズームレンズが、物体側より順に、負のパワーを持つ第１レンズ群、開口絞り、正のパワーを持つ第２レンズ群、正のパワーを持つ第３レンズ群を有し、前記第１レンズ群と前記第２レンズ群は非球面レンズを有し、前記第１レンズ群は、物体側に凸面を向けた少なくとも１枚の負メニスカスレンズと正レンズを有し、前記第２レンズ群は、正レンズと負レンズからなる接合レンズと正レンズからなることを特徴とする請求項１から３の何れか１項記載の撮像装置。
【請求項９】
前記ズームレンズが、物体側より順に、負のパワーを持つ第１レンズ群、開口絞り、正のパワーを持つ第２レンズ群、正のパワーを持つ第３レンズ群を有し、前記第１レンズ群と前記第２レンズ群は非球面レンズを有し、前記第１レンズ群は、物体側に凸面を向けた少なくとも１枚の負メニスカスレンズと正レンズを有し、前記第２レンズ群は、正レンズと負レンズからなる接合レンズと２枚の正レンズからなることを特徴とする請求項１から３の何れか１項記載の撮像装置。
【請求項１０】
前記第３レンズ群が、以下の条件を満足する正レンズを有することを特徴とする請求項８又は９記載の撮像装置。
ν3 ＞４９                                            ・・・（５）
ただし、ν3 は第３レンズ群に含まれる何れかの正レンズのｄ線基準のアッベ数である。
【請求項１１】
前記第３レンズ群が負レンズと正レンズからなる接合レンズからなることを特徴とする請求項８又は６記載の撮像装置。
【請求項１２】
前記第２レンズ群の接合レンズの形状が以下の条件を満足することを特徴とする請求項８から１１の何れか１項記載の撮像装置。
０．６＜Ｒ23／Ｒ21＜１．０                            ・・・（６）
ただし、Ｒ21は接合レンズの最も物体側の曲率半径、Ｒ23は接合レンズの最も像面側の曲率半径である。
【請求項１３】
前記第２レンズ群の接合レンズの接合面の形状が、以下の条件を満足することを特徴とする請求項１２記載の撮像装置。
−０．１＜ｆW ／Ｒ22＜０．２                          ・・・（７）
ただし、Ｒ22は接合レンズの接合面の曲率半径、ｆW は広角端におけるズームレンズ全系の焦点距離である。
【請求項１４】
以下の条件式を満足することを特徴とする請求項１２記載の撮像装置。
２．６＜ｆ2 ／ｆW ＜４．０                            ・・・（８）
ただし、ｆ2 は第２レンズ群の焦点距離、ｆW は広角端におけるズームレンズ全系の焦点距離である。
【請求項１５】
以下の条件式を満足することを特徴とする請求項１２記載の撮像装置。
２．０＜｜ｆ1 ｜／Ｙ＜５．０                          ・・・（９）
ただし、ｆ1 は第１レンズ群の焦点距離、Ｙは撮像面の有効対角長の１／２である。
【請求項１６】
前記ズームレンズの像面側に電子撮像素子を配し、かつ、以下の条件式を満足することを特徴とする請求項１２記載の撮像装置。
０．７＜ｆW ／ＥＲ3 ＜１．２                          ・・・（10）
ただし、ｆW は広角端におけるズームレンズ全系の焦点距離、ＥＲ3 は望遠端における最も像側の群で光線が光軸から最も離れた点での光軸からの距離である。
【請求項１７】
物体側から順に、正パワーを有する第１レンズ群と、負パワーの第２レンズ群と、全体として正の屈折力を有する後続レンズ群とからなり、広角端から望遠端への変倍時に、前記第１レンズ群と前記第２レンズ群との間隔が広がり、前記非球面が前記第２レンズ群中に配されることを特徴とする請求項１から４の何れか１項記載の撮像装置。
【請求項１８】
前記後続レンズ群が、物体側より順に、正パワーの第３レンズ群と、正又は負のパワーを有する第４レンズ群とを有し、広角端から望遠端への変倍時に、前記第２レンズ群と前記第３レンズ群との間隔が狭まり、前記絞りが前記第２レンズ群と前記第４レンズ群との間に配されることを特徴とする請求項１７記載の撮像装置。
【請求項１９】
前記非球面を含む負レンズは、絞りとは反対側に凸面を向けた負メニスカスレンズであることを特徴とする請求項１から１８の何れか１項記載の撮像装置。
【請求項２０】
前記非球面を含む負レンズ群が絞り側に凹面を向けた１枚の正レンズと、１枚又は２枚の負レンズからなることを特徴とする請求項１から１９の何れか１項記載の撮像装置。
【請求項２１】
前記ズームレンズの広角端における半画角が３５°より大であり５０°より小であることを特徴とする請求項１から２０の何れか１項記載の撮像装置。